(57)【特許請求の範囲】
【請求項１】
第１ゲートライン及び第１データラインに接続されて第１ハイ階調を表示する第１ハイピクセルと、前記第１ゲートライン及び第２データラインに接続されて第１ロー階調を表示する第１ローピクセルと、を含む表示部と、
前記第１ゲートラインにゲート信号を印加するゲート駆動部と、
前記第１データライン及び前記第２データラインにデータ電圧を印加する第１出力部を含むデータ駆動部と、
前記第１データライン及び前記第２データラインを前記データ駆動部の前記第１出力部に交互に接続する選択部と、
を含み、
前記第１ハイピクセルは第１ピクセル列に配置され、
前記第１ローピクセルは前記第１ピクセル列と隣り合う第２ピクセル列に配置され、
前記表示部は、
前記第１ゲートライン及び第３データラインに接続されて第２ロー階調を表示する第２ローピクセルと、
前記第１ゲートライン及び第４データラインに接続されて第２ハイ階調を表示する第２ハイピクセルと、
をさらに含み、
前記第１データライン及び前記第２データラインは前記第１出力部に接続され、
前記第３データライン及び前記第４データラインは前記データ駆動部の第２出力部に接続され、
前記第１データライン、前記第２データライン、前記第３データライン、及び前記第４データラインは順次に配置され、
前記第１ハイ階調は、前記第１ロー階調に比べて相対的に大きい階調であり、
前記第２ハイ階調は、前記第２ロー階調に比べて相対的に大きい階調であることを特徴とする、表示装置。
【請求項２】
前記選択部は、
前記第１データラインを前記第１出力部に接続する第１スイッチと、
前記第２データラインを前記第１出力部に接続する第２スイッチと、
を含むことを特徴とする、請求項１に記載の表示装置。
【請求項３】
前記第１スイッチは第１スイッチング信号のハイ区間に応答してターンオンされ、前記第２スイッチは第２スイッチング信号のハイ区間に応答してターンオンされ、
前記ゲート信号のハイ区間が１Ｈの時、前記第１スイッチング信号の前記ハイ区間はＨ／２より小さいか等しく、前記第２スイッチング信号の前記ハイ区間はＨ／２より小さいか等しいことを特徴とする、
請求項２に記載の表示装置。
【請求項４】
前記選択部は、
前記第１スイッチに第１スイッチング信号を印加する第１スイッチングラインと、
前記第２スイッチに第２スイッチング信号を印加する第２スイッチングラインと、をさらに含み、
前記第１スイッチングライン及び前記第２スイッチングラインは、前記第１ゲートラインと平行したことを特徴とする、
請求項２に記載の表示装置。
【請求項５】
前記選択部は、
前記第４データラインを前記データ駆動部の第２出力部に接続する第３スイッチと、
前記第３データラインを前記第２出力部に接続する第４スイッチと、
を含むことを特徴とする、
請求項１に記載の表示装置。
【発明の詳細な説明】
【技術分野】
【０００１】
本発明は、表示装置及びその駆動方法に関するものである。
【背景技術】
【０００２】
液晶表示装置は、画素電極を含む第１基板、共通電極を含む第２基板、及び前記第１及び第２基板の間に介される液晶層を含む。前記２つ電極に電圧を印加して液晶層に電界を生成し、この電界の強さを調節して液晶層を通過する光の透過率を調節することによって、所望の画像を得る。
【０００３】
液晶層における電界を調節するために、表示装置はゲート信号及びデータ電圧を印加する集積回路部を含む。表示装置が高精細化するによって、ゲートライン及びデータラインの個数が多くなり、表示パネル駆動部の部品が実装される空間及び表示パネル駆動部の消費電力を低減し難いという問題がある。
【０００４】
また、表示パネルの視野角を改善するために多様な液晶モードが開発さ
れている。例えば、垂直配向モードでは単位ピクセルを複数のサブピクセルに分割し、同一な階調に対してサブピクセルに互いに異なる電界を印加する。例えば、サブピクセルは各々ハイピクセル及びローピクセルであってもよい。
【０００５】
データ駆動部の第１バッファは、第１データライン及び第１トランジスタを通じてハイピクセルに同一な階調に対して高い階調を有するハイ階調データを印加し、データ駆動部の第２バッファは第２データライン及び第２トランジスタを通じてローピクセルに同一な階調に対して低い階調を有するロー階調データを印加することができる。このような構造をトランジスタ−トランジスタ（ＴＴ）構造という。
【０００６】
特に、ＴＴ構造では従来のデータ駆動部に比べて２倍のチャンネル及び２倍のドライバーＩＣを必要とするので、データ集積回路の個数、回路の複雑度、及び表示装置の製造コストが格段に増加する問題がある。
【発明の概要】
【発明が解決しようとする課題】
【０００７】
本発明の技術的課題はこのような点から着目したものであって、本発明の目的の一は側面視認性を向上させ、データ集積回路の個数、回路の複雑度、及び製造コストを低減することができる表示装置を提供することにある。
【０００８】
本発明の他の目的は、表示装置を駆動する方法を提供することにある。
【課題を解決するための手段】
【０００９】
本発明の一実施形態に係る表示装置は、表示部、ゲート駆動部、データ駆動部、及び選択部を含む。表示部は、第１ゲートライン及び第１データラインに接続されて第１ハイ階調を表示する第１ハイピクセル、及び第１ゲートライン及び第２データラインに接続されて第１ロー階調を表示する第１ローピクセルを含む。ゲート駆動部は、第１ゲートラインにゲート信号を印加する。データ駆動部は、第１データライン及び第２データラインにデータ電圧を印加する複数の第１出力部を含む。選択部は、第１データライン及び第２データラインをデータ駆動部の第１出力部に交互に接続する。
【００１０】
本発明の一実施形態において、選択部は第１データラインを第１出力部に接続する第１スイッチ、及び第２データラインを第１出力部に接続する第２スイッチを含んでもよい。
【００１１】
本発明の一実施形態において、第１スイッチは第１スイッチング信号のハイ区間に応答してターンオンされ、第２スイッチは第２スイッチング信号のハイ区間に応答してターンオンできる。ゲート信号のハイ区間が１Ｈの時、第１スイッチング信号のハイ区間はＨ／２（２分の１倍されたＨを、２分のＨとして以下分数表記する。）より小さいか等しく、第２スイッチング信号のハイ区間はＨ／２より小さいか等しくてもよい。
【００１２】
本発明の一実施形態において、選択部はデータ駆動部及び表示部の間に配置してもよい。
【００１３】
本発明の一実施形態において、選択部は表示パネルで映像を表示しない周辺部上に配置してもよい。
【００１４】
本発明の一実施形態において、選択部は第１スイッチに第１スイッチング信号を印加する第１スイッチングライン、及び第２スイッチに第２スイッチング信号を印加する第２スイッチングラインを含んでもよい。第１スイッチングライン及び第２スイッチングラインは、第１ゲートラインと平行であってもよい。
【００１５】
本発明の一実施形態において、第１ハイピクセルは第１ピクセル列に配置してもよい。第１ローピクセルは第１ピクセル列に配置してもよい。
【００１６】
本発明の一実施形態において、第１ハイピクセルは第１ピクセル列に配置してもよい。第１ローピクセルは第１ピクセル列と隣り合う第２ピクセル列に配置してもよい。
【００１７】
本発明の一実施形態において、表示部は第１ゲートライン及び第３データラインに接続されて第２ロー階調を表示する第２ローピクセル、及び第１ゲートライン及び第４データラインに接続されて第２ハイ階調を表示する第２ハイピクセルをさらに含んでもよい。
【００１８】
本発明の一実施形態において、選択部は、第１スイッチング信号に応答して第４データラインをデータ駆動部の第２出力部に接続する第３スイッチ、及び第２スイッチング信号に応答して第３データラインを第２出力部に接続する第４スイッチを含んでもよい。
【００１９】
本発明の一実施形態において、第１データライン及び第２データラインは第１出力部に接続できる。第３データライン及び第４データラインは、データ駆動部の第２出力部に接続できる。第１データライン、第３データライン、第２データライン、及び第４データラインは順次に配置してもよい。
【００２０】
本発明の一実施形態において、第１データライン及び第２データラインは、第１出力部に接続できる。第３データライン及び第４データラインは、データ駆動部の第２出力部に接続できる。第１データライン、第２データライン、第３データライン、及び第４データラインは順次に配置してもよい。
【００２１】
本発明の一実施形態において、ゲート駆動部の動作周波数はデータ駆動部の動作周波数と相異することがある。
【００２２】
本発明の一実施形態において、データ駆動部の動作周波数はゲート駆動部の動作周波数の２倍でもよい。
【００２３】
本発明の一実施形態において、ゲート信号のハイ区間が１Ｈの時、データ電圧の印加区間はＨ／２より小さいか等しくてもよい。
【００２４】
本発明の他の目的を実現するための一実施形態に従う表示装置の駆動方法は、選択部を用いて第１データライン及び第２データラインをデータ駆動部の第１出力部に交互に接続するステップ、第１データラインが第１出力部に接続される時、第１ゲートライン及び第１データラインに接続される第１ハイピクセルに第１ハイ階調を表示するステップ、及び第２データラインが第１出力部に接続される時、第１ゲートライン及び第２データラインに接続される第１ローピクセルに第１ロー階調を表示するステップを含む。
【００２５】
本発明の一実施形態において、選択部は第１データラインを第１出力部に接続する第１スイッチ、及び第２データラインを第１出力部に接続する第２スイッチを含んでもよい。
【００２６】
本発明の一実施形態において、第１スイッチは第１スイッチング信号のハイ区間に応答してターンオンされ、第２スイッチは第２スイッチング信号のハイ区間に応答してターンオンできる。第１ゲートラインに印加されるゲート信号のハイ区間が１Ｈの時、第１スイッチング信号のハイ区間はＨ／２より小さいか等しく、第２スイッチング信号のハイ区間はＨ／２より小さいか等しくてもよい。
【００２７】
本発明の一実施形態において、ゲートラインにゲート信号を印加するゲート駆動部の動作周波数は、データラインにデータ信号を印加するデータ駆動部の動作周波数と相異することがある。
【００２８】
本発明の一実施形態において、データ駆動部の動作周波数はゲート駆動部の動作周波数の２倍でもよい。
【００２９】
本発明の一実施形態において、第１ゲートラインに印加されるゲート信号のハイ区間が１Ｈの時、第１データラインに印加されるデータ電圧の印加区間はＨ／２より小さいか等しくてもよい。
【発明の効果】
【００３０】
このような表示装置及びその駆動方法によれば、１つのバッファに２つのデータラインを選択的に接続して、データ駆動部のチャンネル及びデータ集積回路の個数の増加無しで表示パネルの側面視認性を効率的に向上させることができる。また、表示装置の製造コストを低減することができる。
【図面の簡単な説明】
【００３１】
【図１】本発明の一実施形態に係る表示装置を示すブロック図である。
【図２】図１のゲート駆動部、データ駆動部のバッファ、選択部、及び表示パネルを示す概念図である。
【図３】図１の表示パネルのスイッチングライン、ゲートライン、及びデータラインに印加される信号を示すタイミングチャートである。
【図４ａ】本発明の他の実施形態に係るゲート駆動部、データ駆動部のバッファ、選択部、及び表示パネルを示す平面図である。
【図４ｂ】本発明の他の実施形態に係るゲート駆動部、データ駆動部のバッファ、選択部、及び表示パネルを示す平面図である。
【図５ａ】本発明の他の実施形態に係るゲート駆動部、データ駆動部のバッファ、選択部、及び表示パネルを示す平面図である。
【図５ｂ】本発明の他の実施形態に係るゲート駆動部、データ駆動部のバッファ、選択部、及び表示パネルを示す平面図である。
【発明を実施するための形態】
【００３２】
以下、添付した図面を参照して、本発明をより詳細に説明する。
【００３３】
図１は、本発明の一実施形態に係る表示装置１０００を示すブロック図である。
【００３４】
図１を参照すると、表示装置１０００は、表示パネル１００及びパネル駆動部２００を含む。パネル駆動部２００は、信号制御部２１０、ゲート駆動部２２０、ガンマ基準電圧生成部２３０、及びデータ駆動部２４０を含む。表示装置１０００は隣り合うデータラインをデータ駆動部２４０に交互に接続する選択部をさらに含む。選択部の構成及び動作に対しては図２及び３を参照して詳細に後述する。
【００３５】
表示パネル１００は、映像を表示する表示部、及び表示部に隣り合って配置され、映像を表示しない周辺部を含む。
【００３６】
表示パネル１００は、複数のゲートラインＧＬ、複数のデータラインＤＬ、及びゲートラインＧＬとデータラインＤＬの各々に電気的に接続された複数のピクセルを含む。ゲートラインＧＬは第１方向（Ｄ１）に延長され、データラインＤＬは第１方向（Ｄ１）と交差する第２方向（Ｄ２）に延長される。
【００３７】
各ピクセルは、ハイピクセル及びローピクセルを含む。ピクセルは、マトリックス形状に配置してもよい。ピクセルの構造に対しては図２を参照して詳細に後述する。
【００３８】
信号制御部２１０は、外部の装置（図示せず）から入力映像データ（ＲＧＢ）及び入力制御信号（ＣＯＮＴ）を受信する。入力映像データは、赤色映像データ（Ｒ）、緑色映像データ（Ｇ）、及び青色映像データ（Ｂ）を含んでもよい。入力制御信号（ＣＯＮＴ）は、マスタークロック信号、及びデータイネーブル信号を含んでもよい。入力制御信号（ＣＯＮＴ）は、垂直同期信号及び水平同期信号をさらに含んでもよい。
【００３９】
信号制御部２１０は、入力映像データ（ＲＧＢ）及び入力制御信号（ＣＯＮＴ）に基づいて第１制御信号（ＣＯＮＴ１）、第２制御信号（ＣＯＮＴ２）、第３制御信号（ＣＯＮＴ３）、及びデータ信号（ＤＡＴＡ）を生成する。
【００４０】
信号制御部２１０は、入力制御信号（ＣＯＮＴ）に基づいてゲート駆動部２２０の動作を制御するための第１制御信号（ＣＯＮＴ１）を生成してゲート駆動部２２０に出力する。第１制御信号（ＣＯＮＴ１）は、垂直開始信号及びゲートクロック信号を含んでもよい。
【００４１】
信号制御部２１０は、入力制御信号（ＣＯＮＴ）に基づいてデータ駆動部２４０の動作を制御するための第２制御信号（ＣＯＮＴ２）を生成してデータ駆動部２４０に出力する。第２制御信号（ＣＯＮＴ２）は水平開始信号及びロード信号を含んでもよい。
【００４２】
信号制御部２１０は、入力映像データ（ＲＧＢ）に基づいてデータ信号（ＤＡＴＡ）を生成する。信号制御部２１０は、データ信号（ＤＡＴＡ）をデータ駆動部２４０に出力する。
【００４３】
信号制御部２１０は、入力映像データ（ＲＧＢ）に基づいてハイガンマを有するハイデータ信号を生成することができる。信号制御部２１０は、入力映像データ（ＲＧＢ）に基づいてローガンマを有するローデータ信号を生成することができる。
【００４４】
信号制御部２１０は、入力制御信号（ＣＯＮＴ）に基づいてガンマ基準電圧生成部２３０の動作を制御するための第３制御信号（ＣＯＮＴ３）を生成してガンマ基準電圧生成部２３０に出力する。
【００４５】
ゲート駆動部２２０は、信号制御部２１０から入力を受けた第１制御信号（ＣＯＮＴ１）に応答してゲートラインを駆動するためのゲート信号を生成する。ゲート駆動部２２０は、ゲート信号をゲートラインＧＬに順次に出力する。
【００４６】
ゲート駆動部２２０は、表示パネル１００に直接実装（ｍｏｕｎｔｅｄ）されるか、またはテープキャリアパッケージ（ｔａｐｅ  ｃａｒｒｉｅｒ  ｐａｃｋａｇｅ：ＴＣＰ）形態に表示パネル１００に接続できる。一方、ゲート駆動部２２０は表示パネル１００の周辺部に集積（ｉｎｔｅｇｒａｔｅｄ）できる。
【００４７】
ガンマ基準電圧生成部２３０は、信号制御部２１０から入力を受けた第３制御信号（ＣＯＮＴ３）に応答してガンマ基準電圧（ＶＧＲＥＦ）を生成する。ガンマ基準電圧生成部２３０は、ガンマ基準電圧（ＶＧＲＥＦ）をデータ駆動部２４０に提供する。ガンマ基準電圧（ＶＧＲＥＦ）は、各々のデータ信号（ＤＡＴＡ）に対応する値を有する。
【００４８】
本発明の一実施形態において、ガンマ基準電圧生成部２３０は、信号制御部２１０の内に配置されるか、またはデータ駆動部２４０の内に配置してもよい。例えば、ガンマ基準電圧生成部２３０は信号制御部２１０と一体形成できる。例えば、ガンマ基準電圧生成部２３０はデータ駆動部２４０と一体形成できる。
【００４９】
データ駆動部２４０は、信号制御部２１０から第２制御信号（ＣＯＮＴ２）及びデータ信号（ＤＡＴＡ）の入力を受けて、ガンマ基準電圧生成部２３０からガンマ基準電圧（ＶＧＲＥＦ）の入力を受ける。データ駆動部２４０は、データ信号（ＤＡＴＡ）を、ガンマ基準電圧（ＶＧＲＥＦ）を用いてアナログ形態のデータ電圧に変換する。データ信号（ＤＡＴＡ）は、ガンマ基準電圧（ＶＧＲＥＦ）によってデータ駆動部２４０でアナログデータ電圧に変換され、変換されたデータ電圧はデータラインＤＬに出力される。
【００５０】
データ駆動部２４０は表示パネル１００に直接実装されるか、またはテープキャリアパッケージ（ｔａｐｅ  ｃａｒｒｉｅｒ  ｐａｃｋａｇｅ：ＴＣＰ）形態に表示パネル１００に接続できる。一方、データ駆動部２４０は表示パネル１００の周辺部に集積されることもできる。
【００５１】
図２は、図１のゲート駆動部２２０、データ駆動部２４０のバッファＢ１、Ｂ２、Ｂ３、Ｂ４、選択部ＳＰ、及び表示パネル１００を示す概念図である。図３は、図１の表示パネル１００のスイッチングラインＳＬ１、ＳＬ２、ゲートラインＧＬ１、ＧＬ２、及びデータラインＤＬ１乃至ＤＬ８に印加される信号を示すタイミング図である。
【００５２】
図１から図３を参照すると、表示パネル１００は複数のピクセルを含む。ピクセルは、表示パネル１００の表示部ＡＡの内に配置される。
【００５３】
ピクセルは、ハイピクセルＨ１１乃至Ｈ２４、及びローピクセルＬ１１乃至Ｌ２４を含む。ハイピクセルＨ１１乃至Ｈ２４は特定の階調に対して相対的に大きい階調を表示するサブピクセルを意味し、ローピクセルＬ１１乃至Ｌ２４は特定の階調に対して相対的に小さい階調を表示するサブピクセルを意味する。例えば、第１ハイピクセルＨ１１のハイ階調は、第１ローピクセルＬ１１のロー階調に比べて大きい絶対値を有することができ、第１ハイピクセルＨ１１のハイ階調及び第１ローピクセルＬ１１のロー階調は、第１ハイピクセルＨ１１及び第１ローピクセルＬ１１を含む第１ピクセルＨ１１、Ｌ１１の階調を示す。
【００５４】
例えば、表示パネル１００は第１ゲートラインＧＬ１及び第１データラインＤＬ１に接続されて第１ハイ階調を表示する第１ハイピクセルＨ１１、及び第１ゲートラインＧＬ１及び第２データラインＤＬ２に接続されて第１ロー階調を表示する第１ローピクセルＬ１１を含む。第１ハイ階調及び第１ロー階調は、第１ピクセルＨ１１、Ｌ１１の階調を示す。表示パネル１００は、第１ゲートラインＧＬ１及び第３データラインＤＬ３に接続されて第２ハイ階調を表示する第２ハイピクセルＨ１２、及び第１ゲートラインＧＬ１及び第４データラインＤＬ４に接続されて第２ロー階調を表示する第２ローピクセルＬ１２をさらに含んでもよい。第２ハイ階調及び第２ロー階調は、第２ピクセルＨ１２、Ｌ１２の階調を示す。
【００５５】
表示パネル１００は、第２ゲートラインＧＬ２及び第１データラインＤＬ１に接続されて第３ハイ階調を表示する第３ハイピクセルＨ２１、及び第２ゲートラインＧＬ２及び第２データラインＤＬ２に接続されて第３ロー階調を表示する第３ローピクセルＬ２１をさらに含んでもよい。第３ハイ階調及び第３ロー階調は、第３ピクセルＨ２１、Ｌ２１の階調を示す。表示パネル１００は、第２ゲートラインＧＬ２及び第３データラインＤＬ３に接続されて第４ハイ階調を表示する第４ハイピクセルＨ２２、及び第２ゲートラインＧＬ２及び第４データラインＤＬ４に接続されて第４ロー階調を表示する第４ローピクセルＬ２２をさらに含んでもよい。第４ハイ階調及び第４ロー階調は、第４ピクセルＨ２２、Ｌ２２の階調を示す。
【００５６】
本実施形態において、第１ハイピクセルＨ１１、第１ローピクセルＬ１１、第３ハイピクセルＨ２１、及び第３ローピクセルＬ２１は、第１ピクセル列に配置される。第２ハイピクセルＨ１２、第２ローピクセルＬ１２、第４ハイピクセルＨ２２、及び第４ローピクセルＬ２２は、第１ピクセル列と隣り合う第２ピクセル列に配置される。
【００５７】
説明の便宜上、２行２列のピクセルの接続関係のみを説明しているが、２行２列のピクセル構造は横方向及び縦方向に反復できる。
【００５８】
選択部ＳＰは、第１スイッチング信号（ＳＳ１）に応答して第１データラインＤＬ１をデータ駆動部２４０の第１バッファＢ１に接続する第１スイッチＳＷ１１、及び第２スイッチング信号（ＳＳ２）に応答して第２データラインＤＬ２を第１バッファＢ１に接続する第２スイッチＳＷ２１を含んでもよい。
【００５９】
例えば、第１スイッチＳＷ１１はデータ駆動部２４０の第１出力部を通じて第１バッファＢ１に接続できる。例えば、第２スイッチＳＷ２１はデータ駆動部２４０の第１出力部を通じて第１バッファＢ１に接続できる。第１出力部は、データ駆動部２４０の駆動チップの第１パッドでもよい。
【００６０】
第１スイッチング信号（ＳＳ１）及び第２スイッチング信号（ＳＳ２）は信号制御部２１０で生成されて、選択部ＳＰに伝達できる。
【００６１】
選択部ＳＰは、第１スイッチング信号（ＳＳ１）に応答して第３データラインＤＬ３をデータ駆動部２４０の第２バッファＢ２に接続する第３スイッチＳＷ１２、及び第２スイッチング信号（ＳＳ２）に応答して第４データラインＤＬ４を第２バッファＢ２に接続する第４スイッチＳＷ２２をさらに含んでもよい。
【００６２】
例えば、第３スイッチＳＷ１２はデータ駆動部２４０の第２出力部を通じて第２バッファＢ２に接続できる。例えば、第４スイッチＳＷ２２はデータ駆動部２４０の第２出力部を通じて第２バッファＢ２に接続できる。第２出力部は、データ駆動部２４０の駆動チップの第２パッドでもよい。
【００６３】
本実施形態において、選択部ＳＰは表示パネル１００の上に配置してもよい。選択部ＳＰは、表示パネル１００の周辺部ＰＡに配置してもよい。例えば、選択部ＳＰのスイッチＳＷ１１、ＳＷ１２、ＳＷ１３、ＳＷ１４、ＳＷ２１、ＳＷ２２、ＳＷ２３、ＳＷ２４は、表示パネル１００の基板上に集積されて形成できる。図示したものとは異なり、選択部ＳＰはデータ駆動部２４０の内に形成できる。
【００６４】
選択部ＳＰは、第１スイッチＳＷ１１に第１スイッチング信号（ＳＳ１）を印加する第１スイッチングラインＳＬ１、及び第２スイッチＳＷ２１に第２スイッチング信号（ＳＳ２）を印加する第２スイッチングラインＳＬ２をさらに含んでもよい。
【００６５】
本実施形態において、第１スイッチングラインＳＬ１は、第３スイッチＳＷ１２に接続できる。第２スイッチングラインＳＬ２は、第４スイッチＳＷ２２に接続できる。
【００６６】
例えば、第１スイッチングラインＳＬ１及び第２スイッチングラインＳＬ２は、ゲートラインＧＬ１、ＧＬ２と平行であってもよい。
【００６７】
本実施形態において、選択部ＳＰは、スイッチング素子ＳＷ１１、ＳＷ１２、ＳＷ１３、ＳＷ１４、ＳＷ２１、ＳＷ２２、ＳＷ２３、ＳＷ２４を含むと説明したが、選択部ＳＰの構成はこれに限定されるものではない。これとは異なり、選択部ＳＰはデマルチプレクサ（ｄｅｍｕｘ）を含んでもよい。
【００６８】
図３を見ると、第１ゲート信号（ＧＳ１）がハイ区間を有する時、第１ゲートラインＧＬ１に接続されたサブピクセルＨ１１、Ｈ１２、Ｈ１３、Ｈ１４、Ｌ１１、Ｌ１２、Ｌ１３、Ｌ１４のスイッチング素子はターンオンされる。
【００６９】
第１ゲート信号（ＧＳ１）のハイ区間は１Ｈ（１水平周期）でもよい。第１ゲート信号（ＧＳ１）がハイ区間を有する第１水平周期の前期には第１スイッチング信号（ＳＳ１）がハイ区間を有し、第１水平周期の後期区間には第２スイッチング信号（ＳＳ２）がハイ区間を有する。
【００７０】
第１スイッチング信号（ＳＳ１）がハイ区間を有する間、第１バッファＢ１は第１スイッチＳＷ１１により第１データラインＤＬ１に接続され、第１データ電圧（ＶＤ１）のうち、第１データラインＤＬ１に対応する第１ハイ階調は第１ハイピクセルＨ１１に印加される。
【００７１】
第１スイッチング信号（ＳＳ１）がハイ区間を有する間、第２バッファＢ２は第３スイッチＳＷ１２により第３データラインＤＬ３に接続され、第１データ電圧（ＶＤ１）のうち、第３データラインＤＬ３に対応する第２ハイ階調は第２ハイピクセルＨ１２に印加される。
【００７２】
第２スイッチング信号（ＳＳ２）がハイ区間を有する間、第１バッファＢ１は第２スイッチＳＷ２１により第２データラインＤＬ２に接続され、第２データ電圧（ＶＤ２）のうち、第２データラインＤＬ２に対応する第１ロー階調は第１ローピクセルＬ１１に印加される。
【００７３】
第２スイッチング信号（ＳＳ２）がハイ区間を有する間、第２バッファＢ２は第４スイッチＳＷ２２により第４データラインＤＬ４に接続され、第２データ電圧（ＶＤ２）のうち、第４データラインＤＬ４に対応する第２ロー階調は第２ローピクセルＬ１２に印加される。
【００７４】
第２ゲート信号（ＧＳ２）のハイ区間は、１Ｈ（１水平周期）でもよい。第２ゲート信号（ＧＳ２）がハイ区間を有する第２水平周期の前期には第１スイッチング信号（ＳＳ１）がハイ区間を有し、第２水平周期の後期区間には第２スイッチング信号（ＳＳ２）がハイ区間を有する。
【００７５】
第１スイッチング信号（ＳＳ１）がハイ区間を有する間、第１バッファＢ１は第１スイッチＳＷ１１により第１データラインＤＬ１に接続され、第３データ電圧（ＶＤ３）のうち、第１データラインＤＬ１に対応する第３ハイ階調は第３ハイピクセルＨ２１に印加される。
【００７６】
第１スイッチング信号（ＳＳ１）がハイ区間を有する間、第２バッファＢ２は第３スイッチＳＷ１２により第３データラインＤＬ３に接続され、第３データ電圧（ＶＤ３）のうち、第３データラインＤＬ３に対応する第４ハイ階調は第４ハイピクセルＨ２２に印加される。
【００７７】
第２スイッチング信号（ＳＳ２）がハイ区間を有する間、第１バッファＢ１は第２スイッチＳＷ２１により第２データラインＤＬ２に接続され、第４データ電圧（ＶＤ４）のうち、第２データラインＤＬ２に対応する第３ロー階調は第３ローピクセルＬ２１に印加される。
【００７８】
第２スイッチング信号（ＳＳ２）がハイ区間を有する間、第２バッファＢ２は第４スイッチＳＷ２２により第４データラインＤＬ４に接続され、第４データ電圧（ＶＤ４）のうち、第４データラインＤＬ４に対応する第４ロー階調は第４ローピクセルＬ２２に印加される。
【００７９】
例えば、ゲート信号のハイ区間が１Ｈの時、第１スイッチング信号のハイ区間はＨ／２より小さいか等しく、第２スイッチング信号のハイ区間はＨ／２より小さいか等しくてもよい。
【００８０】
ゲート駆動部２２０の動作周波数は、データ駆動部２４０の動作周波数と相異することがある。
【００８１】
例えば、データ駆動部２４０の動作周波数は、ゲート駆動部２２０の動作周波数の２倍でもよい。例えば、データ駆動部２４０の動作周波数は２４０Ｈｚで、ゲート駆動部２２０の動作周波数は１２０Ｈｚでもよい。これとは異なり、データ駆動部２４０の動作周波数は１２０Ｈｚで、ゲート駆動部２２０の動作周波数は６０Ｈｚでもよい。
【００８２】
ゲート駆動部２２０の動作周波数は、ゲート信号（ＧＳ１、ＧＳ２）のライジング回数を基準に判断できる。データ駆動部２４０の動作周波数は、データ電圧（ＶＤ１、ＶＤ２、ＶＤ３、ＶＤ４）を出力するロード信号（ＴＰ）のライジング回数を基準に判断することができる。ロード信号（ＴＰ）は、第１データ電圧（ＶＤ１）、第２データ電圧（ＶＤ２）、第３データ電圧（ＶＤ３）、第４データ電圧（ＶＤ４）が出力され始める時、各々ライジングできる。本実施形態において、ゲート信号（ＧＳ１、ＧＳ２）が一回ライジングされる時、ロード信号（ＴＰ）は２回ライジングされる。
【００８３】
例えば、ゲート信号（ＧＳ１、ＧＳ２）のハイ区間が１Ｈの時、データ電圧（ＶＤ１、ＶＤ２、ＶＤ３、ＶＤ４）の印加区間はＨ／２より小さいか等しくてもよい。
【００８４】
本実施形態において、第１データラインＤＬ１、第２データラインＤＬ２、第３データラインＤＬ３、及び第４データラインＤＬ４は順次に配置してもよい。
【００８５】
本実施形態において、ゲート駆動部２２０は表示パネル１００の周辺部ＰＡに配置してもよい。ゲート駆動部２２０は、表示パネル１００の上に集積されて形成できる。ゲート駆動部２２０は、表示パネル１００のガラス上に集積され、ゲート信号を生成してゲートラインＧＬに出力する。
【００８６】
本実施形態によれば、データ駆動部２４０のバッファＢ１、Ｂ２は選択部ＳＰにより２つのデータラインに交互に接続される。したがって、データ駆動部２４０のチャンネルの個数、バッファの個数を増加させず、表示パネル１００の側面視認性を効率的に増加させることができる。また、表示装置１０００の製造コストを低減することができる。
【００８７】
図４ａ及び４ｂは、本発明の他の実施形態に係るゲート駆動部２２０、データ駆動部２４０のバッファＢ１、Ｂ２、Ｂ３、Ｂ４、選択部ＳＰＡ、及び表示パネル１００Ａを示す平面図である。
【００８８】
本実施形態に従う表示装置は、選択部及び表示パネルのピクセル構造を除いて、図１乃至図３の表示装置と実質的に同一であるので、同一または類似の構成要素に対しては同一な参照番号を使用し、重複する説明は省略する。
【００８９】
図１、図３、図４ａ、及び図４ｂを参照して説明する。交流電圧駆動においては、フレーム反転駆動方式、行ライン反転駆動方式、列ライン反転駆動方式、ドット反転駆動方式などの方式があるが、本実施形態では、ピクセルがハイピクセル及びローピクセルを含む視認性改善構造にフレームごとに1つおきのサブ画素を互い違いに正極と負極を反転させる方式である、ドット反転構造を適用する一例を用いて説明する。
【００９０】
表示パネル１００Ａは、複数のピクセルを含む。ピクセルは、ハイピクセル及びローピクセルを含む。ピクセルは、表示パネル１００Ａの表示部ＡＡの内に配置される。
【００９１】
例えば、表示パネル１００Ａは、第１ゲートラインＧＬ１及び第１データラインＤＬ１に接続されて第１ハイ階調を表示する第１ハイピクセルＨ１１、及び第１ゲートラインＧＬ１及び第２データラインＤＬ２に接続されて第１ロー階調を表示する第１ローピクセルＬ１１を含む。表示パネル１００Ａは、第１ゲートラインＧＬ１及び第4データラインＤＬ4に接続されて第２ハイ階調を表示する第２ハイピクセルＨ１２、及び第１ゲートラインＧＬ１及び第3データラインＤＬ3に接続されて第２ロー階調を表示する第２ローピクセルＬ１２をさらに含んでもよい。本実施形態において、第１ハイピクセルＨ１１及び第２ローピクセルＬ１２が１つのピクセル（第１ピクセル）をなす。したがって、第１ハイ階調及び第２ロー階調は、第１ピクセルＨ１１、Ｌ１２の階調を示す。第２ハイピクセルＨ１２及び第１ローピクセルＬ１１が１つのピクセル（第２ピクセル）をなす。したがって、第２ハイ階調及び第１ロー階調は第２ピクセルＨ１２、Ｌ１１の階調を示す。
【００９２】
表示パネル１００Ａは、第２ゲートラインＧＬ２及び第１データラインＤＬ１に接続されて第３ハイ階調を表示する第３ハイピクセルＨ２１、及び第２ゲートラインＧＬ２及び第２データラインＤＬ２に接続されて第３ロー階調を表示する第３ローピクセルＬ２１をさらに含んでもよい。表示パネル１００Ａは、第２ゲートラインＧＬ２及び第４データラインＤＬ４に接続されて第４ハイ階調を表示する第４ハイピクセルＨ２２、及び第２ゲートラインＧＬ２及び第３データラインＤＬ３に接続されて第４ロー階調を表示する第４ローピクセルＬ２２をさらに含んでもよい。本実施形態において、第３ハイピクセルＨ２１及び第４ローピクセルＬ２２が１つのピクセル（第３ピクセル）をなす。したがって、第３ハイ階調及び第４ロー階調は第３ピクセルＨ２１、Ｌ２２の階調を示す。第４ハイピクセルＨ２２及び第３ローピクセルＬ２１が１つのピクセル（第４ピクセル）をなす。したがって、第４ハイ階調及び第３ロー階調は、第４ピクセルＨ２２、Ｌ２１の階調を示す。
【００９３】
本実施形態において、第１ハイピクセルＨ１１、第２ローピクセルＬ１２、第３ハイピクセルＨ２１、及び第４ローピクセルＬ２２は、第１ピクセル列に配置される。第２ハイピクセルＨ１２、第１ローピクセルＨ１２、第４ハイピクセルＨ２２、及び第３ローピクセルＬ２１は、第１ピクセル列と隣り合う第２ピクセル列に配置される。
【００９４】
説明の便宜上、２行２列のピクセルを具体例として説明しているが、２行２列のピクセル構造は横方向及び縦方向に反復していてもよいし、２行２列のピクセルがさらに分割されて４行４列や６行４列、４行６列、といったマトリックス構造であってもよい。
【００９５】
選択部ＳＰＡは、第１スイッチング信号（ＳＳ１）に応答して第１データラインＤＬ１をデータ駆動部２４０の第１バッファＢ１に接続する第１スイッチＳＷ１１、及び第２スイッチング信号（ＳＳ２）に応答して第２データラインＤＬ２を第１バッファＢ１に接続する第２スイッチＳＷ２１を含んでもよい。
【００９６】
選択部ＳＰＡは、第１スイッチング信号（ＳＳ１）に応答して第４データラインＤＬ４をデータ駆動部２４０の第２バッファＢ２に接続する第３スイッチＳＷ１２、及び第２スイッチング信号（ＳＳ２）に応答して第３データラインＤＬ３を第２バッファＢ２に接続する第４スイッチＳＷ２２をさらに含んでもよい。
【００９７】
図３を見ると、第１ゲート信号（ＧＳ１）がハイ区間を有する時、第１ゲートラインＧＬ１に接続されたサブピクセルＨ１１、Ｈ１２、Ｈ１３、Ｈ１４、Ｌ１１、Ｌ１２、Ｌ１３、Ｌ１４のスイッチング素子はターンオンされる。
【００９８】
第１ゲート信号（ＧＳ１）のハイ区間は１Ｈ（１水平周期）でもよい。第１ゲート信号（ＧＳ１）がハイ区間を有する第１水平周期の前期には第１スイッチング信号（ＳＳ１）がハイ区間を有し、第１水平周期の後期区間には第２スイッチング信号（ＳＳ２）がハイ区間を有する。
【００９９】
第１スイッチング信号（ＳＳ１）がハイ区間を有する間、第１バッファＢ１は第１スイッチＳＷ１１により第１データラインＤＬ１に接続され、第１データ電圧（ＶＤ１）のうち、第１データラインＤＬ１に対応する第１ハイ階調は第１ハイピクセルＨ１１に印加される。
【０１００】
第１スイッチング信号（ＳＳ１）がハイ区間を有する間、第２バッファＢ２は第３スイッチＳＷ１２により第４データラインＤＬ４に接続され、第１データ電圧（ＶＤ１）のうち、第４データラインＤＬ４に対応する第２ハイ階調は第２ハイピクセルＨ１２に印加される。
【０１０１】
第２スイッチング信号（ＳＳ２）がハイ区間を有する間、第１バッファＢ１は第２スイッチＳＷ２１により第２データラインＤＬ２に接続され、第２データ電圧（ＶＤ２）のうち、第２データラインＤＬ２に対応する第１ロー階調は第１ローピクセルＬ１１に印加される。
【０１０２】
第２スイッチング信号（ＳＳ２）がハイ区間を有する間、第２バッファＢ２は第４スイッチＳＷ２２により第３データラインＤＬ３に接続され、第２データ電圧（ＶＤ２）のうち、第３データラインＤＬ３に対応する第２ロー階調は第２ローピクセルＬ１２に印加される。
【０１０３】
第２ゲート信号（ＧＳ２）のハイ区間は１Ｈ（１水平周期）でもよい。第２ゲート信号（ＧＳ２）がハイ区間を有する第２水平周期の前期には第１スイッチング信号（ＳＳ１）がハイ区間を有し、第２水平周期の後期区間には第２スイッチング信号（ＳＳ２）がハイ区間を有する。
【０１０４】
本実施形態において、第１バッファＢ１に接続される第２データラインＤＬ２及び第２バッファＢ２に接続される第３データラインＤＬ３は互いに交差する構造を有する。したがって、本実施形態において、第１データラインＤＬ１、第３データラインＤＬ３、第２データラインＤＬ２、及び第４データラインＤＬ４は順次に配置してもよい。
【０１０５】
図４ａは第１フレームの間の表示パネル１００Ａのピクセルの極性を示し、図４ｂは第２フレームの間の表示パネル１００Ａのピクセルの極性を示す。
【０１０６】
図４ａで、第１バッファＢ１及び第３バッファＢ３は正極性（＋）のデータ電圧を出力する。したがって、第１バッファＢ１及び第３バッファＢ３に接続されるサブピクセルは正極性のデータ電圧を表示する。図４ａで、第２バッファＢ２及び第４バッファＢ４は負極性（−）のデータ電圧を出力する。したがって、第２バッファＢ２及び第４バッファＢ４に接続されるピクセルは正極性のデータ電圧を表示する。結果的に、表示パネル１００Ａは行方向及び列方向に１つのピクセル単位で極性が反転される。
【０１０７】
図４ｂで、表示パネル１００Ａのピクセルの極性は反転される。図４ｂで、第１バッファＢ１及び第３バッファＢ３は負極性（−）のデータ電圧を出力する。したがって、第１バッファＢ１及び第３バッファＢ３に接続されるサブピクセルは負極性のデータ電圧を表示する。図４ｂで、第２バッファＢ２及び第４バッファＢ４は正極性（＋）のデータ電圧を出力する。したがって、第２バッファＢ２及び第４バッファＢ４に接続されるピクセルは正極性のデータ電圧を表示する。
【０１０８】
本実施形態によれば、データ駆動部２４０のバッファＢ１、Ｂ２は選択部ＳＰＡにより２つのデータラインに交互に接続される。したがって、データ駆動部２４０のチャンネルの個数、バッファの個数を増加させず、表示パネル１００Ａの側面視認性を効率的に増加させることができる。また、表示装置の製造コストを低減することができる。また、ドット反転駆動を通じて、表示パネル１００Ａの表示品質をより向上させることができる。
【０１０９】
図５ａ及び５ｂは、本発明の他の実施形態に従うゲート駆動部２２０、データ駆動部２４０のバッファＢ１、Ｂ２、Ｂ３、Ｂ４、選択部ＳＰ、及び表示パネル１００Ｂを示す平面図である。
【０１１０】
本実施形態に従う表示装置は選択部及び表示パネルのピクセル構造を除いて、図４ａ及び図４ｂの表示装置と実質的に同一であるので、同一または類似の構成要素に対しては同一な参照番号を使用し、重複する説明は省略する。
【０１１１】
図１、図３、図５ａ、及び図５ｂを参照すると、本実施形態ではピクセルがハイピクセル及びローピクセルを含む視認性改善構造にドット反転構造を適用する一例を例示する。
【０１１２】
表示パネル１００Ｂは、複数のピクセルを含む。ピクセルは、ハイピクセル及びローピクセルを含む。ピクセルは、表示パネル１００Ｂの表示部ＡＡの内に配置される。
【０１１３】
例えば、表示パネル１００Ｂは、第１ゲートラインＧＬ１及び第１データラインＤＬ１に接続されて第１ハイ階調を表示する第１ハイピクセルＨ１１、及び第１ゲートラインＧＬ１及び第２データラインＤＬ２に接続されて第１ロー階調を表示する第１ローピクセルＬ１１を含む。表示パネル１００Ｂは、第１ゲートラインＧＬ１及び第4データラインＤＬ4に接続されて第２ハイ階調を表示する第２ハイピクセルＨ１２、及び第１ゲートラインＧＬ１及び第３データラインＤＬ３に接続されて第２ロー階調を表示する第２ローピクセルＬ１２をさらに含んでもよい。
【０１１４】
表示パネル１００Ｂは、第２ゲートラインＧＬ２及び第１データラインＤＬ１に接続されて第３ハイ階調を表示する第３ハイピクセルＨ２１、及び第２ゲートラインＧＬ２及び第２データラインＤＬ２に接続されて第３ロー階調を表示する第３ローピクセルＬ２１をさらに含んでもよい。表示パネル１００Ｂは、第２ゲートラインＧＬ２及び第４データラインＤＬ４に接続されて第４ハイ階調を表示する第４ハイピクセルＨ２２、及び第２ゲートラインＧＬ２及び第３データラインＤＬ３に接続されて第４ロー階調を表示する第４ローピクセルＬ２２をさらに含んでもよい。
【０１１５】
本実施形態において、第１ハイピクセルＨ１１、第２ローピクセルＬ１２、第３ハイピクセルＨ２１、及び第４ローピクセルＬ２２は、第１ピクセル列に配置される。第２ハイピクセルＨ１２、第１ローピクセルＨ１２、第４ハイピクセルＨ２２、及び第３ローピクセルＬ２１は、第１ピクセル列と隣り合う第２ピクセル列に配置される。
【０１１６】
説明の便宜上、２行２列のピクセルの接続関係のみを説明しているものの、２行２列のピクセル構造を横方向及び縦方向に反復して実施することも可能である。
【０１１７】
選択部ＳＰは、第１スイッチング信号（ＳＳ１）に応答して第１データラインＤＬ１をデータ駆動部２４０の第１バッファＢ１に接続される第１スイッチＳＷ１１、及び第２スイッチング信号（ＳＳ２）に応答して第２データラインＤＬ２を第１バッファＢ１に接続される第２スイッチＳＷ２１を含んでもよい。
【０１１８】
選択部ＳＰは、第１スイッチング信号（ＳＳ１）に応答して第４データラインＤＬ４をデータ駆動部２４０の第２バッファＢ２に接続する第３スイッチＳＷ１２、及び第２スイッチング信号（ＳＳ２）に応答して第３データラインＤＬ３を第２バッファＢ２に接続する第４スイッチＳＷ２２をさらに含んでもよい。
【０１１９】
本実施形態において、第１バッファＢ１に接続される第２データラインＤＬ２、及び第２バッファＢ２に接続される第３データラインＤＬ３は互いに交差しない構造を有する。代りに、第２ピクセル列の第１ローピクセルＬ１１は第３データラインＤＬ３と交差しながら第２データラインＤＬ２に接続され、第１ピクセル列の第２ローピクセルＬ１２は第２データラインＤＬ２と交差しながら第３データラインＤＬ３に接続される。
【０１２０】
したがって、本実施形態において、第１データラインＤＬ１、第２データラインＤＬ２、第３データラインＤＬ３、及び第４データラインＤＬ４は順次に配置してもよい。
【０１２１】
第１ローピクセルＬ１１を第３データラインＤＬ３に接続せず、第２データラインＤＬ２に接続するために、表示パネル１００Ｂはコンタクトホールを含んでもよい。第２ローピクセルＬ１２を第２データラインＤＬ２に接続せず、第３データラインＤＬ３に接続するために、表示パネル１００Ｂはコンタクトホールをさらに含んでもよい。
【０１２２】
図５ａは第１フレームの間の表示パネル１００Ｂのピクセルの極性を示し、図５ｂは第２フレームの間の表示パネル１００Ｂのピクセルの極性を示す。
【０１２３】
図５ａで、第１バッファＢ１及び第３バッファＢ３は正極性（＋）のデータ電圧を出力する。したがって、第１バッファＢ１及び第３バッファＢ３に接続されるサブピクセルは正極性のデータ電圧を表示する。図５ａで、第２バッファＢ２及び第４バッファＢ４は負極性（−）のデータ電圧を出力する。したがって、第２バッファＢ２及び第４バッファＢ４に接続されるピクセルは正極性のデータ電圧を表示する。結果的に、表示パネル１００Ｂは行方向及び列方向に１つのピクセル単位で極性が反転される。
【０１２４】
図５ｂで、表示パネル１００Ｂのピクセルの極性は反転される。図５ｂで、第１バッファＢ１及び第３バッファＢ３は負極性（−）のデータ電圧を出力する。したがって、第１バッファＢ１及び第３バッファＢ３に接続されるサブピクセルは負極性のデータ電圧を表示する。図５ｂで、第２バッファＢ２及び第４バッファＢ４は正極性（＋）のデータ電圧を出力する。したがって、第２バッファＢ２及び第４バッファＢ４に接続されるピクセルは正極性のデータ電圧を表示する。
【０１２５】
本実施形態によれば、データ駆動部２４０のバッファＢ１、Ｂ２は選択部ＳＰにより２つのデータラインに交互に接続される。したがって、データ駆動部２４０のチャンネルの個数、バッファの個数を増加させず、表示パネル１００Ｂの側面視認性を効率的に増加させることができる。また、表示装置の製造コストを低減することができる。また、ドット反転駆動を通じて、表示パネル１００Ｂの表示品質をより向上させることができる。
【産業上の利用可能性】
【０１２６】
以上で説明した本発明に従う表示装置及びその駆動方法によれば、液晶表示パネルの側面視認性を改善して表示装置の品質を向上させることができる。また、表示装置の製造コストを低減することができる。
【０１２７】
以上、実施形態を参照して説明したが、該当技術分野の熟練した当業者は特許請求範囲に記載された本発明の思想及び領域から逸脱しない範囲内で本発明を多様に修正及び変更させてもよい。
【符号の説明】
【０１２８】
１００、１００Ａ、１００Ｂ    表示パネル
２００    パネル駆動部
２１０    信号制御部
２２０    ゲート駆動部
２３０    ガンマ基準電圧生成部
２４０    データ駆動部
１０００    表示装置
【図１】
0006727811.tif 000002
【図２】
0006727811.tif 000003
【図３】
0006727811.tif 000004
【図４ａ】
0006727811.tif 000005
【図４ｂ】
0006727811.tif 000006
【図５ａ】
0006727811.tif 000007
【図５ｂ】
0006727811.tif 000008